(57)【特許請求の範囲】
【請求項１】
清浄空気を吹き出すために上方に向けて開口されている一つの吹出口及び前記吹出口の前側の辺に続いていてコアンダ効果によって前記吹出口からの気流が沿う湾曲面が形成されている筐体（１１）と、
前記吹出口に配置され、主として上に清浄空気を吹き出させる上吹き状態のときの第１姿勢と、前記上吹き状態よりもコアンダ効果によって前記湾曲面に沿う気流を多く生じさせて斜め前方に清浄空気を吹き出させる前吹き状態のときの第２姿勢を切り換えられるように構成されている第１風向変更部材（４０）と、
前記吹出口に配置され、前記上吹き状態のときに前記湾曲面に沿う気流を妨げる妨害状態になるように切り換えられ、前記前吹き状態のときに前記湾曲面に沿う気流を妨げない通過状態に切り換えられる第２風向変更部材（６１，６２）と
を備え、
前記第２風向変更部材（６１）は、前記湾曲面の終了端の反対側にある前記湾曲面の開始端の上流側に設けられ、前記通過状態に切り換えられたときに前記開始端よりも下に収納されてコアンダ効果により前記湾曲面に沿う気流を発生させ、前記妨害状態に切り換えられたときに前記開始端より上に上昇してコアンダ効果により前記湾曲面に沿う気流を消失させる、空気清浄機。
【請求項２】
前記第１風向変更部材は、前記吹出口の前記前側の辺に対向する後側の辺に配置され、清浄空気を沿わせる主面を有し、前記第２姿勢おける前記主面の上端の位置が前記第１姿勢における前記上端の位置よりも前記前側の辺に近づくように前記主面が傾けられる、
請求項１に記載の空気清浄機。
【発明の詳細な説明】
【技術分野】
【０００１】
本発明は、空気清浄機、特に上方に吹出口を持つ空気清浄機に関する。
【背景技術】
【０００２】
従来の空気清浄機には、前方と上方に切り換え自在に空気を吹出させるために、例えば特許文献１（特開２００６−４６７２９号公報）に記載されているような上面側に上吹き用の第１吹出口を設け、第１吹出口とは別に前面側に第２吹出口を設けるように構成されているものがある。そして、ダンパーによって第１吹出口に向かう通風路若しくは第２吹出口に向かう一方の通風路を閉じることによって、又は両方に向かう通風路を開放することによって、第１吹出口のみ、第２吹出口のみ、又は第１吹出口と第２吹出口の両方から清浄空気を吹出させることができるように構成されている。
【発明の概要】
【発明が解決しようとする課題】
【０００３】
しかし、前方に多くの清浄空気を吹出させるために第１吹出口に向かう通風路を閉じると圧損が大きくなり、風量が低下して空気清浄能力が低下してしまう。風量を低下させないために、第１吹出口と第２吹出口の両方から清浄空気を吹出させようとすると、第１吹出口から上方へ吹出される風量が多くなって、前方に向かう清浄空気の量を確保するのが難しくなる。
【０００４】
本発明の課題は、上方に清浄空気を多く吹出させる上吹き状態と前方に清浄空気を多く吹出させる前吹き状態とを切り換え可能であり、かつ、上吹き状態と前吹き状態の切り換えにともなう圧損の増加を抑制することのできる空気清浄機を提供することである。
【課題を解決するための手段】
【０００５】
本発明の第１観点に係る空気清浄機は、清浄空気を吹き出すために上方に向けて開口されている一つの吹出口及び吹出口の前側の辺に続いていてコアンダ効果によって吹出口からの気流が沿う湾曲面が形成されている筐体と、吹出口に配置され、主として上に清浄空気を吹き出させる上吹き状態のときの第１姿勢と、上吹き状態よりもコアンダ効果によって湾曲面に沿う気流を多く生じさせて斜め前方に清浄空気を吹き出させる前吹き状態のときの第２姿勢を切り換えられるように構成されている第１風向変更部材とを備えるものである。
【０００６】
第１観点の空気清浄機においては、第１風向変更部材を第１姿勢から第２姿勢に切り換えたときにコアンダ効果によって湾曲面に沿う気流を多く生じさせることで斜め前方に吹出させるので、上吹き状態に比べて斜め前方に吹出させる際の圧損の増加が抑制できる。
【０００７】
また、第１観点に係る空気清浄機は、吹出口に配置され、上吹き状態のときに湾曲面に沿う気流を妨げる妨害状態になるように切り換えられ、前吹き状態のときに湾曲面に沿う気流を妨げない通過状態に切り換えられる第２風向変更部材をさらに備える、ものである。
【０００８】
そのように構成された空気清浄機においては、第２風向変更部材で、湾曲面に沿う気流を妨げたり、通過させたりすることで、第２風向変更部材を設けない場合に比べて、上吹き状態と前吹き状態におけるコアンダ効果の差を顕著にすることができる。
【０００９】
さらに、第１観点に係る空気清浄機は、第２風向変更部材は、湾曲面の終了端の反対側にある湾曲面の開始端の上流側に設けられ、通過状態に切り換えられたときに開始端よりも下に収納されてコアンダ効果により湾曲面に沿う気流を発生させ、妨害状態に切り換えられたときに開始端より上に上昇してコアンダ効果により湾曲面に沿う気流を消失させる、ものである。
【００１０】
そのように構成された空気清浄機においては、第２風向変更部材は、湾曲面の開始端より下に下げることでコアンダ効果により湾曲面に沿う気流を多く発生させ、開始端より上に上昇させることでコアンダ効果により湾曲面に沿う気流を消失させることができ、簡単な動きによって通過状態と妨害状態を実現することで構成が簡素化される。
【００１１】
本発明の第２観点に係る空気清浄機は、第１観点の空気清浄機において、第１風向変更部材は、吹出口の前側の辺に対向する後側の辺に配置され、清浄空気を沿わせる主面を有し、第２姿勢おける主面の上端の位置が第１姿勢における上端の位置よりも前側の辺に近づくように主面が傾けられる、ものである。
【００１２】
第２観点の空気清浄機においては、第１風向変更部材の主面の上端が吹出口の前側の辺に近づくように傾けられることで、第１風向変更部材によって湾曲面に向かって清浄空気の流れを曲げてコアンダ効果によって湾曲面に沿う気流の量を増やすので、空気の流れを曲げるだけのため、上吹き状態に比べて斜め前方に吹出させる際の圧損を大きく増加させずに済む。
【発明の効果】
【００１３】
本発明の第１観点に係る空気清浄機では、上方に清浄空気を多く吹出させる上吹き状態と前方に清浄空気を多く吹出させる前吹き状態とを第１風向変更部材の第１姿勢と第２姿勢とによって切り換え可能であり、かつ、第１風向変更部材の第１姿勢と第２姿勢を切り換える上吹き状態と前吹き状態の切り換えにおいて圧損の増加を抑制することができる。
【００１４】
また、湾曲面に沿う気流の妨害状態と通過状態を切り換える第２風向変更部材を設けるという簡単な構成で圧損の増加を抑制しながら上吹き状態のときには前に向かう気流と前吹き状態のときに前に向かう気流との差を大きくすることができる。
【００１５】
さらに、第２風向変更部材を上下させる簡単な動きによって湾曲面に沿う気流の通過状態と妨害状態を実現することで第２風向変更部材を設けることによる構成が簡素化され、第２風向変更部材を設けることにともなうコストを削減することができる。
【００１６】
本発明の第２観点に係る空気清浄機では、空気の流れを曲げるだけのため圧損の増加を抑制しながらコアンダ効果によって湾曲面に沿う気流の量を増やして前方へ吹出される空気の量を増やすことができる。
【図面の簡単な説明】
【００１７】
【図１】本発明の実施形態に係る空気清浄機の使用状況を説明するための斜視図。
【図２】第１実施形態に係る上吹き状態の空気清浄機の吹出口周辺の拡大断面図。
【図３】第１実施形態に係る前吹き状態の空気清浄機の吹出口周辺の拡大断面図。
【図４】従来の空気清浄機の吹出口周辺の拡大断面図。
【図５】第２実施形態に係る上吹き状態の空気清浄機の吹出口周辺の拡大断面図。
【図６】第２実施形態に係る上吹き状態の空気清浄機の吹出口周辺の拡大断面図。
【図７】第２実施形態に係る前吹き状態の空気清浄機の吹出口周辺の拡大断面図。
【図８】第３実施形態に係る上吹き状態の空気清浄機の吹出口周辺の拡大断面図。
【図９】第３実施形態に係る上吹き状態の空気清浄機の吹出口周辺の拡大断面図。
【図１０】第３実施形態に係る前吹き状態の空気清浄機の吹出口周辺の拡大断面図。
【発明を実施するための形態】
【００１８】
＜第１実施形態＞
（１）空気清浄機の概要
以下、本発明の第１実施形態に係る空気清浄機について図面を用いて説明する。図１は、室内の床に載置されて使用されている空気清浄機を正面斜め上から見たときの外観を示す斜視図である。図１に示されている空気清浄機１０は、ケーシング１１の前面下部に下吸込口２１を有し、ケーシング１１の左右の側面にそれぞれ側方吸込口２２を有している。矢印Ａｒ１は下吸込口２１に吸い込まれる室内空気を概念的に示し、矢印Ａｒ２は左右の側方吸込口２２に吸い込まれる室内空気を概念的に示している。
【００１９】
空気清浄機１０は、これら下吸込口２１及び側方吸込口２２から吸い込まれた空気に対して塵埃の除去、加湿及び除湿などのうちユーザによって選択された空気清浄を行なって清浄空気を吹出すための吹出口３０を上部に有している。空気清浄機１０は、吹出口３０から吹出される清浄空気を矢印Ａｒ３で示されている主として上に吹出させる上吹き状態と、矢印Ａｒ４で示されている斜め前方に吹出させる前吹き状態とを切り換えることができるように構成されている。一方、上吹き状態では、空気清浄機１０から天井ＣＬの方向に向かって壁面ＷＬに沿うように清浄空気が吹出される。前吹き状態では、室内ＲＳの中央部のユーザの居る方向に向かって清浄空気が吹出される。このように空気清浄機１０からユーザに向けて清浄空気を吹出させることで、扇風機のように風をユーザに当てるような使い方が可能になる。
【００２０】
（２）吹出口周辺の構成
図２には、空気清浄機１０の左右方向に対して垂直な面で切断したときの吹出口３０の周辺の拡大断面が示されている。水平羽根４０の板状の羽根部４１は、左右方向に長く延びている。図２に示されている羽根部４１の上側で左右に延びているのが第１辺４１ａであり、下側で左右に延びているのが第２辺４１ｂである。吹出口３０には、水平羽根４０を支持するための回動軸５１が吹出口３０の左側面３１から右方向に向かって突出している。この回動軸５１はステッピングモータ（図示せず）によって回転するように構成されている。また、吹出口３０の右側面（図示せず）からは、回動軸５１の延長上に支軸（図示せず）が左方向に向かって突出している。この回動軸５１と支軸に挟まれて水平羽根４０が回動軸５１に固定されて支持されていることから、回動軸５１の回転に合わせて水平羽根４０が回動する。
【００２１】
水平羽根４０には、回動軸５１が差し込まれる取り付け穴４３を有する軸受部４２が設けられている。軸受部４２は、水平羽根４０の第２辺４１ｂの近傍に形成されている。水平羽根４０は、その第２辺４１ｂが吹出口３０の後側の傾斜面３３に沿うように配置されている。そして、吹出口３０の後側が傾斜面３３になっているのは、羽根部４１の第２辺４１ｂが吹出口３０に接触しないように、水平羽根４０が回動軸５１を中心にスムーズに回転するようにするためである。
【００２２】
吹出口３０の前側の辺３２の前方側には、空気清浄機１０のケーシング１１にコアンダ効果によって吹出口３０からの気流が沿う湾曲面３５が形成されている。吹出口３０と湾曲面３５とは一体であってもよく、別部材で構成されていてもよい。湾曲面３５は、上に向かって凸に湾曲しており、断面円弧状の形状を呈する。湾曲面３５の前方側は、ケーシング１１の頂部１２に続いており、湾曲面３５に沿って進んだ清浄空気がケーシング１１によって妨げられずに斜め前方に吹出せる構成になっている。
【００２３】
水平羽根４０は、空気清浄機１０の運転停止時に、吹出口３０を塞げるようになっている。そのため、羽根部４１の第１辺４１ａが吹出口３０の前の辺３２の近傍に達するところまで、図２の状態から水平羽根４０が反時計回りに回転するように構成されている。
【００２４】
（３）清浄空気の吹出し方向の切り換え
図２及び図３を用いて、空気清浄機１０の吹出口３０から吹出される清浄空気の吹出し方向の切り換えについて説明する。図３にも、図２と同様に空気清浄機１０の吹出口３０の周辺の拡大断面が示されている。図３に示されている空気清浄機１０が、図２の状態と異なる点は、水平羽根４０の角度である。図２の水平羽根４０の状態に比べて、図３の水平羽根４０は、反時計回りに回転して羽根部４１の第１辺４１ａが吹出口３０の前の辺３２に近づいている。つまり、図２が上吹き状態を示しており、図３が前吹き状態を示している。
【００２５】
図２に示されている水平羽根４０が上下に立った状態になって吹出口３０から上に吹出す清浄空気の方向と羽根部４１とが平行になっているので、吹出される清浄空気から水平羽根４０の羽根部４１の内面にほとんど圧力が掛からない。言い換えると、吹出口３０から吹出される清浄空気には、水平羽根４０による圧損が生じない。このとき、吹出口３０の前の辺３２の近傍を流れる清浄空気の中には湾曲面３５に沿う向きに流れを変えるコアンダ効果によって、吹出口３０から吹出される清浄空気は、矢印Ａｒ５に示されているように少し前に傾く。しかし、吹出口３０の上部が開放されているので、矢印Ａｒ５に示されているように、清浄空気は主に上方に向かって勢いよく吹出される。
【００２６】
そして、図３に示されている状態では、水平羽根４０が吹出口３０の前側に傾いているので、吹出口３０の経路が斜め前方に向かって曲がったようにみなせる。このとき、例えば、吹出口３０に続く湾曲面３５から羽根部４１までの距離Ｄ２は、吹出口３０の前後の距離Ｄ１と同じか又はそれよりも大きい。そのため、水平羽根４０の羽根部４１が傾いて吹出口３０の上方に少し覆い被さっても、水平羽根４０によって生じる圧損が大きくならないように抑制することができる。そして、吹出口３０の経路が水平羽根４０によって斜め前方に向かって曲がったようになることから、湾曲面３５に沿って流れる清浄空気の気流が多くなり、湾曲面３５によるコアンダ効果が増す。それによって、図３の矢印Ａｒ６で示されているように、水平羽根４０が傾いた方向よりもさらに前方に向かって清浄空気の気流が曲げられる。
【００２７】
この点について、図４に示されている従来の空気清浄機１００と比較しながらさらに説明する。図４に示されている従来の空気清浄機１００において、図１乃至図３に示されている空気清浄機１０に対応する部分には１００番台の符号を付し、例えば、図２の水平羽根４０に対応する部分には符号１４０を付すことで従来の空気清浄機１００の各部の詳細な説明を省く。図４に示されている従来の場合には、水平羽根１４０が反時計回りに回動して吹出口１３０の前側の辺１３２に向かって傾くと、上方に吹出していた清浄空気の吹出し方向は、矢印Ａｒ７で示されているように羽根部１４１に沿って少し傾く。しかし、コアンダ効果が生じないので、ケーシング１１１に沿う清浄空気の気流はほとんど発生せず、図３に示されている前吹き状態のように清浄空気の吹出し方向が大きく前方へ傾くことはない。それにも係わらず、吹出口１３０の前側の辺１３２から羽根部１４１までの距離Ｄ３が吹出口１３０の前後の距離Ｄ１に比べて小さくなるため圧損が増加する。その結果、従来の空気清浄機１００では、水平羽根１４０を前方に傾けても前方に向かう清浄空気の気流の風量はほとんど増えない。
【００２８】
（４）特徴
空気清浄機１０のケーシング１１（筐体の例）には、清浄空気を吹き出すために上方に向けて開口されている一つの吹出口３０が形成されている。また、ケーシング１１には、吹出口３０の前側の辺３２に続いていてコアンダ効果によって吹出口３０からの気流が沿う湾曲面３５が形成されている。水平羽根４０（第１風向変更部材の例）は、羽根部４１が上下に立っている図２に示されている姿勢（主として上に清浄空気を吹き出させる上吹き状態のときの第１姿勢の例）と、羽根部４１が傾いている図３に示されている姿勢（上吹き状態よりもコアンダ効果によって湾曲面３５に沿う気流を多く生じさせ斜め前方に清浄空気を吹き出させる前吹き状態のときの第２姿勢の例）とを切り換えられるように構成されている。
【００２９】
既に説明したように、水平羽根４０を図２の姿勢から図３の姿勢に切り換えたときにコアンダ効果によって湾曲面３５に沿う気流を多く生じさせることで斜め前方に吹出させるので、上吹き状態に比べて斜め前方に吹出させる際の圧損の増加が抑制できる。
【００３０】
また、水平羽根４０は、吹出口３０の前側の辺３２に対向する後側の傾斜面３３に配置され、清浄空気を沿わせる羽根部４１の内面（第１風向変更部材の主面の例）を有している。図３の姿勢においては、羽根部４１の第１辺４１ａ（主面の上端の例）の位置が図２の姿勢における第１辺４１ａの位置よりも吹出口３０の前側の辺３２に近づくように羽根部４１の内面が傾けられる。それにより、水平羽根４０によって湾曲面３５に向かって清浄空気の流れを曲げてコアンダ効果によって湾曲面３５に沿う気流の量を増やすので、空気の流れを曲げるため上吹き状態に比べて斜め前方に吹出させる際の圧損を大きく増加させずに済む。このように水平羽根４０で空気の流れを曲げるため、圧損の増加が抑制しながら湾曲面３５に沿うコアンダ効果による気流の量を増やして前方へ吹出される空気の量を増やすことができる。
【００３１】
（５）変形例
（５−１）変形例１Ａ
上記第１実施形態では、吹出口３０に水平羽根４０のみを設けて上吹き状態と前吹き状態を切り換える例について説明したが、水平羽根４０以外に左右に風向を変更する他の羽根を設けてもよい。
【００３２】
＜第２実施形態＞
（６）吹出口周辺の構成
上記の第１実施形態の空気清浄機１０では、水平羽根４０の角度によって湾曲面３５に生じるコアンダ効果による気流の量を変更して上吹き状態と前吹き状態とを切り換えている。第２実施形態に係る空気清浄機１０Ａでは、図５及び図６に示されている風向調整板６１が吹出口３０の前面３６に沿って上下にスライドできるように設置され、さらにコアンダ効果を制御できるように構成されている。ここでは、風向調整板６１は、モータ（図示せず）によって、図５に示されている収納された状態と図６に示されている上昇した状態の２つの状態をとることができるように構成されている。なお、図５乃至図７に示されているように、風向調整板６１以外の空気清浄機１０Ａが第１実施形態の空気清浄機１０と同じであることから、空気清浄機１０Ａの構成において、第１実施形態の空気清浄機１０と同じ部分には同一の符号を付している。
【００３３】
吹出口３０の前面３６に沿って配置されている風向調整板６１の配置位置を別の観点から見ると、風向調整板６１は、湾曲面３５の開始端３５ａの上流側に設けられている。この空気清浄機１０Ａでは、湾曲面３５の終了端３５ｂの反対側にある湾曲面３５の開始端３５ａは、吹出口３０の前側の辺３２に一致する。また、この空気清浄機１０Ａでは、湾曲面３５の終了端３５ｂがケーシング１１の頂部１２に一致する。
【００３４】
（７）清浄空気の吹出し方向の切り換え
図５に示されているように、風向調整板６１を湾曲面３５の開始端３５ａより下に下げることで、図６に示されている状態よりもコアンダ効果によって湾曲面３５に沿う気流を多く発生させられる。図５に示されている状態は、図２に示されている第１実施形態の上吹き状態とほぼ同じ状態である。この状態は、湾曲面３５に沿う気流が通過できる通過状態である。
【００３５】
従って、図５に示されている上吹き状態よりももっとコアンダ効果によって湾曲面３５に沿う気流を多く発生させたいときには、図５に示されている状態から水平羽根４０を図７に示されているように傾ければよい。つまり、図７に示されている状態は、図３を用いて説明した前吹き状態に相当する。
【００３６】
図６に示されている状態は、図５の状態から風向調整板６１を湾曲面３５の開始端３５ａよりも上に上昇させた状態である。図６の状態では、矢印Ａｒ８で示されている吹出口３０の前面３６の近傍を流れる清浄空気は、風向調整板６１に妨げられて湾曲面３５に沿って流れなくなる。つまり、風向調整板６１が上昇するということは、風向調整板６１によってコアンダ効果により湾曲面３５に沿う気流が消失する妨害状態に切り換えられたということである。図６の状態では、矢印Ａｒ９で示されている上方に吹出される清浄空気の気流を図５の状態よりもさらに強めることができる。
【００３７】
（８）特徴
上述のように風向調整板６１（第２風向変更部材の例）は、吹出口３０の前側の辺３２の上流に配置されている。そして、図６に示されているように、風向調整板６１は、上吹き状態のときに湾曲面に沿う気流を妨げる妨害状態になるように切り換えることができる。また、風向調整板６１は、図７に示されているように、前吹き状態のときに湾曲面に沿う気流を妨げない通過状態に切り換えることができる。このように、風向調整板６１で、湾曲面３５に沿う気流を妨げたり、通過させたりすることで、風向調整板６１を設けない場合に比べて、上吹き状態と前吹き状態におけるコアンダ効果の差を顕著にすることができる。その結果、上吹き状態のときには前に向かう気流と前吹き状態の時に前に向かう気流との差を大きくすることができる。
【００３８】
そのために、風向調整板６１は、湾曲面３５の終了端３５ｂの反対側にある湾曲面３５の開始端３５ａの上流側に設けられている。風向調整板６１は、通過状態に切り換えられたときに開始端３５ａよりも下に収納されてコアンダ効果によって湾曲面３５に沿う気流を発生させ、妨害状態に切り換えられたときに開始端３５ａより上に上昇してコアンダ効果によって湾曲面３５に沿う気流を消失させている。風向調整板６１は、湾曲面３５の開始端３５ａに対して上下させる簡単な動きによって通過状態と妨害状態を実現することで構成が簡素化され、風向調整板６１を設けることにともなうコストを削減することができる。
【００３９】
（９）変形例
（９−１）変形例２Ａ
上記第２実施形態では、風向調整板６１がケーシング１１の上面から突出する程度の大きさを有していたが、風向調整板６１は上昇した状態でケーシング１１の上面から突出しない程度の小さなものであってもよい。風向調整板６１は、湾曲面３５に沿う気流を妨害できる程度の大きさがあれば、上記第２実施形態の効果と同様の効果を奏する。
【００４０】
（９−２）変形例２Ｂ
上記第２実施形態では、吹出口３０に水平羽根４０のみを設けて上吹き状態と前吹き状態を切り換える例について説明したが、水平羽根４０以外に左右に風向を変更する他の羽根を設けてもよい。
【００４１】
（９−３）変形例２Ｃ
上記第２実施形態では、水平羽根４０と風向調整板６１とを用いてコアンダ効果を使用する例について説明したが、水平羽根４０を省いて風向調整板６１のみでコアンダ効果を調節するように構成することもできる。
【００４２】
＜第３実施形態＞
（１０）吹出口周辺の構成
上記の第２実施形態では、風向調整板６１を上下にスライドさせることによってコアンダ効果により湾曲面３５に沿う気流の発生と消滅を切り換える通過状態と妨害状態とをつくり出している。それに対して、第３実施形態では、図８乃至図１０に示されている湾曲面３５に重ねられた風向調整板６２を回動することによって通過状態と妨害状態とをつくり出している。第３実施形態に係る空気清浄機１０Ｂでは、図８乃至図１０に示されている風向調整板６２がケーシング１１の湾曲面３５に重ねて設置され、風向調整板６２を回動することによってコアンダ効果を制御できるように構成されている。風向調整板６２は、湾曲面３５と同じ形状を有し、上に向かって凸に湾曲しており、断面円弧状の形状を呈する。ここでは、風向調整板６２は、モータ（図示せず）によって、図８及び図１０に示されている湾曲面３５に重ねられた状態と図９に示されている湾曲面３５から離れた状態の２つの状態をとることができるように構成されている。なお、図８乃至図１０に示されているように、風向調整板６２以外の空気清浄機１０Ｂが第１実施形態の空気清浄機１０と同じであることから、空気清浄機１０Ｂの構成において、第１実施形態の空気清浄機１０と同じ部分には同一の符号を付している。
【００４３】
（１１）清浄空気の吹出し方向の切り換え
図８に示されているように、風向調整板６２を湾曲面３５に重ねることで、図９に示されている状態よりもコアンダ効果によって湾曲面３５に沿う気流を多く発生させられる。図８に示されている状態は、図２に示されている第１実施形態の上吹き状態とほぼ同じ状態である。この状態は、湾曲面３５に沿う気流が通過できる通過状態である。
【００４４】
従って、図８に示されている上吹き状態よりももっとコアンダ効果によって湾曲面３５に沿う気流を多く発生させたいときには、図８に示されている状態から水平羽根４０を図１０に示されているように傾ければよい。つまり、図１０に示されている状態は、図３を用いて説明した前吹き状態に相当する。
【００４５】
図９に示されている状態は、図８の状態から風向調整板６２を後ろ側に向かって（時計回りに）回転させて風向調整板６２を湾曲面３５から離した状態である。図９の状態では、矢印Ａｒ８で示されている吹出口３０の前面３６の近傍を流れる清浄空気は、風向調整板６２に妨げられて湾曲面３５に沿って流れなくなる。つまり、風向調整板６２が湾曲面３５から離れるということは、風向調整板６２によってコアンダ効果により湾曲面３５に沿う気流が消失する妨害状態に切り換えられたということである。図９の状態では、図８の状態よりもさらに上方に吹出される清浄空気の気流を強めることができる。
【００４６】
（１２）特徴
図９に示されているように、風向調整板６２は、上吹き状態のときに湾曲面に沿う気流を妨げる妨害状態になるように切り換えることができる。また、風向調整板６２は、図１０に示されているように、前吹き状態のときに湾曲面３５に沿う気流を妨げない通過状態に切り換えることができる。このように、風向調整板６２で、湾曲面３５に沿う気流を妨げたり、通過させたりすることで、風向調整板６２を設けない場合に比べて、上吹き状態と前吹き状態におけるコアンダ効果の差を顕著にすることができる。その結果、上吹き状態のときには前に向かう気流と前吹き状態の時に前に向かう気流との差を大きくすることができる。
【００４７】
そのために、風向調整板６２は、湾曲面３５に重なるように設けられている。風向調整板６２は、通過状態に切り換えられたときに湾曲面３５に重なってコアンダ効果により湾曲面３５に沿う気流を発生させ、妨害状態に切り換えられたときに湾曲面３５の開始端３５ａ（上流側の端部の例）を軸に回動して湾曲面３５から離れてコアンダ効果により湾曲面３５に沿う気流を消失させている。風向調整板６２は、回動するという湾曲面３５の開始端３５ａに対して上下させる簡単な動きによって通過状態と妨害状態を実現することで構成が簡素化され、風向調整板６２を設けることにともなうコストを削減することができる。
【００４８】
（１３）変形例
（１３−１）変形例３Ａ
上記第３実施形態では、風向調整板６２が湾曲面３５の全体を覆う大きな形状を有していたが、風向調整板６２は湾曲面３５の一部と重なるような小さなものであってもよい。風向調整板６２は、湾曲面３５に沿う気流を妨害できる程度の大きさがあれば、上記第３実施形態の効果と同様の効果を奏する。
【００４９】
（１３−２）変形例３Ｂ
上記第３実施形態では、吹出口３０に水平羽根４０のみを設けて上吹き状態と前吹き状態を切り換える例について説明したが、水平羽根４０以外に左右に風向を変更する他の羽根を設けてもよい。
【００５０】
（１３−３）変形例３Ｃ
上記第３実施形態では、水平羽根４０と風向調整板６２とを用いてコアンダ効果を使用する例について説明したが、水平羽根４０を省いて風向調整板６２のみでコアンダ効果を調節するように構成することもできる。
【符号の説明】
【００５１】
１０，１０Ａ，１０Ｂ  空気清浄機
１１  ケーシング
３０  吹出口
４０  水平羽根
６１，６２  風向調整板
【先行技術文献】
【特許文献】
【００５２】
【特許文献１】特開２００６−４６７２９号公報
【図１】
0005895919.tif 000002
【図２】
0005895919.tif 000003
【図３】
0005895919.tif 000004
【図４】
0005895919.tif 000005
【図５】
0005895919.tif 000006
【図６】
0005895919.tif 000007
【図７】
0005895919.tif 000008
【図８】
0005895919.tif 000009
【図９】
0005895919.tif 000010
【図１０】
0005895919.tif 000011